(57)【要約】【課題】内枠がない育苗トレイにも対応可能で、表示板を見やすい姿勢とすることができ、別個の部品を必要とせず、簡易な構成で費用節減、省資源化を可能とする表示板付き育苗トレイを提供する。【解決手段】育苗トレイ１の外枠１ａの上辺に、表示板３の差し込み片４を立姿勢で受け入れる表示板受け溝２が設けられ、表示板３は一枚の平らな平面維持性のあるシートで構成され、一表面には育苗ポットＰに植栽される植物に関する情報Ｇが表示され、表示板受け溝２に立姿勢で受け入れられる差し込み片４が表示板３の適所に差し込み片４の基部４ａを残した切り溝３で形成され、表示板３の情報表示側が外側となって差し込み片４より下方側が外枠１ａの外側となるように差し込み片４が表示板受け溝２に立姿勢で差し込まれる。【選択図】図１
2010029100.tif 000002
【特許請求の範囲】
【請求項１】
複数の育苗ポットを縦横に配列した状態で収容する育苗トレイと、前記育苗ポットに植栽される植物に関する情報を表示する表示板とを備えた表示板付き育苗トレイであって、
前記育苗トレイの外枠の上辺に、前記表示板の差し込み片を立姿勢で受け入れる表示板受け溝が設けられ、
前記表示板は、一枚の平らな平面維持性のあるシートで構成され、一表面には前記育苗ポットに植栽される植物に関する情報が表示され、前記表示板受け溝に立姿勢で受け入れられる差し込み片が、前記表示板の適所に、前記差し込み片の基部を残した切り溝で形成され、
前記表示板の情報表示側が外側となって、前記差し込み片より下方側が前記外枠の外側となるように該差し込み片が前記表示板受け溝に立姿勢で差し込まれるようにされていることを特徴とする表示板付き育苗トレイ。
【請求項２】
複数の育苗ポットを縦横に配列した状態で収容する育苗トレイであって、
前記育苗トレイの外枠の上辺に、前記育苗ポットに植栽される植物に関する情報を表示する表示板の差し込み片を立姿勢で受け入れる表示板受け溝が設けられ、
前記表示板は、一枚の平らな平面維持性のあるシートで構成され、一表面には前記育苗ポットに植栽される植物に関する情報が表示され、前記表示板受け溝に立姿勢で受け入れられる差し込み片が、前記表示板の適所に、前記差し込み片の基部を残した切り溝で形成され、
前記表示板の情報表示側が外側となって、前記差し込み片より下方側が前記外枠の外側となるように該差し込み片が前記表示板受け溝に立姿勢で差し込まれるようにされていることを特徴とする育苗トレイ。
【請求項３】
表示板受け溝は、受け入れられた表示板の差し込み片を差し込み方向と直交する方向に屈曲させる、該受け溝の内側方向への小突部を備えていることを特徴とする請求項２記載の育苗トレイ。
【請求項４】
複数の育苗ポットを縦横に配列した状態で収容する育苗トレイに用いられ、前記育苗ポットに植栽される植物に関する情報を表示する育苗トレイ用の表示板であって、
前記育苗トレイの外枠の上辺に、前記表示板の差し込み片を立姿勢で受け入れる表示板受け溝が設けられ、
前記表示板は、一枚の平らな平面維持性のあるシートで構成され、一表面には前記育苗ポットに植栽される植物に関する情報が表示され、前記表示板受け溝に立姿勢で受け入れられる差し込み片が、前記表示板の適所に、前記差し込み片の基部を残した切り溝で形成され、
前記表示板の情報表示側が外側となって、前記差し込み片より下方側が前記外枠の外側となるように該差し込み片が前記表示板受け溝に立姿勢で差し込まれるようにされていることを特徴とする育苗トレイ用の表示板。
【請求項５】
差し込み片の基部側に、前記差し込み片が表示板受け溝に差し入れられた状態で、該差し込み片の抜き出しを防止する抜き出し止め部が設けられたことを特徴とする請求項４記載の育苗トレイ用の表示板。
【発明の詳細な説明】
【技術分野】
【０００１】
本発明は、複数の育苗ポットを縦横に配列した状態で収容する育苗トレイと、前記育苗ポットに植栽される植物に関する情報を表示する表示板とを備えた表示板付き育苗トレイ、及び、この表示板付き育苗トレイに用いる育苗トレイと表示板とに関する。
【背景技術】
【０００２】
育苗トレイに収容された育苗ポットに植栽される植物に関する情報を表示するようにしたものについては、例えば、図５（ａ）に示すように、育苗トレイ１１の外枠１１ａの外側に、両面テープ１４で表示板１３を貼り付けるようにした表示板付き育苗トレイ１５がある。
【０００３】
しかしながら、このトレイ１５においては、いちいち、外枠１１ａの外側に両面テープを貼り付ける、この両面テープの剥離紙を剥がすという手間がかかり、張り直しの場合にも煩雑であり、その解決が望まれていた。
【０００４】
また、単に表示板１３を両面テープで外枠１１ａの外側に貼り付けただけでは、図５（ａ）に示すように、その情報表示面がほぼ鉛直に近い状態とならざるを得ず、一般に、この表示板付き育苗トレイ１５を上から見下ろす観る者にとっては、かならずしも見やすいものとは言えなかった。
【０００５】
図５（ｂ）に示す表示板付き育苗トレイ１７は、育苗トレイ１１の外枠１１ａに、表示板取付具１６を介して、表示板１３を取り付けたものである。
【０００６】
このトレイ１７においては、表示板１３を取り付けるのに、取付具１６という別個の部品が必要となり、費用節減、省資源の観点から改善が求められていた。
【０００７】
一方、特許文献１の表示板付き育苗トレイは、両面テープの煩雑さの問題の解決は図られているが、表示板は鉛直の状態であった。
【０００８】
また、特許文献２の表示板付き育苗トレイは、表示板を取りつける相手方の育苗トレイが内枠付き（特許文献２では、仕切り６）のものに限定され、また、表示板の鉛直の問題についての記載はなかった。
【特許文献１】特開２００６−２０４１２７号公報（図１）
【特許文献２】特開２００６−１６７４６２号公報（図１）
【発明の開示】
【発明が解決しようとする課題】
【０００９】
本発明は、上記問題を解決しようとするもので、内枠がない育苗トレイにも対応可能で、表示板を見やすい姿勢とすることができ、別個の部品を必要とせず、簡易な構成で費用節減、省資源化を可能とする表示板付き育苗トレイ、及び、この表示板付き育苗トレイに用いる育苗トレイと表示板とを提供することを目的としている。
【課題を解決するための手段】
【００１０】
請求項１記載の表示板付き育苗トレイは、複数の育苗ポットを縦横に配列した状態で収容する育苗トレイと、前記育苗ポットに植栽される植物に関する情報を表示する表示板とを備えた表示板付き育苗トレイであって、
前記育苗トレイの外枠の上辺に、前記表示板の差し込み片を立姿勢で受け入れる表示板受け溝が設けられ、前記表示板は、一枚の平らな平面維持性のあるシートで構成され、一表面には前記育苗ポットに植栽される植物に関する情報が表示され、前記表示板受け溝に立姿勢で受け入れられる差し込み片が、前記表示板の適所に、前記差し込み片の基部を残した切り溝で形成され、
前記表示板の情報表示側が外側となって、前記差し込み片より下方側が前記外枠の外側となるように該差し込み片が前記表示板受け溝に立姿勢で差し込まれるようにされていることを特徴とする。
【００１１】
請求項２記載の育苗トレイは、複数の育苗ポットを縦横に配列した状態で収容する育苗トレイであって、前記育苗トレイの外枠の上辺に、前記育苗ポットに植栽される植物に関する情報を表示する表示板の差し込み片を立姿勢で受け入れる表示板受け溝が設けられ、
前記表示板は、一枚の平らな平面維持性のあるシートで構成され、一表面には前記育苗ポットに植栽される植物に関する情報が表示され、前記表示板受け溝に立姿勢で受け入れられる差し込み片が、前記表示板の適所に、前記差し込み片の基部を残した切り溝で形成され、
前記表示板の情報表示側が外側となって、前記差し込み片より下方側が前記外枠の外側となるように該差し込み片が前記表示板受け溝に立姿勢で差し込まれるようにされていることを特徴とする。
【００１２】
請求項３記載の育苗トレイは、請求項２に従属し、表示板受け溝は、受け入れられた表示板の差し込み片を差し込み方向と直交する方向に屈曲させる、該受け溝の内側方向への小突部を備えていることを特徴とする。
【００１３】
請求項４記載の育苗トレイ用の表示板は、複数の育苗ポットを縦横に配列した状態で収容する育苗トレイに用いられ、前記育苗ポットに植栽される植物に関する情報を表示する育苗トレイ用の表示板であって、
前記育苗トレイの外枠の上辺に、前記表示板の差し込み片を立姿勢で受け入れる表示板受け溝が設けられ、前記表示板は、一枚の平らな平面維持性のあるシートで構成され、一表面には前記育苗ポットに植栽される植物に関する情報が表示され、前記表示板受け溝に立姿勢で受け入れられる差し込み片が、前記表示板の適所に、前記差し込み片の基部を残した切り溝で形成され、
前記表示板の情報表示側が外側となって、前記差し込み片より下方側が前記外枠の外側となるように該差し込み片が前記表示板受け溝に立姿勢で差し込まれるようにされていることを特徴とする。
【００１４】
請求項５記載の育苗トレイ用の表示板は、請求項４に従属し、差し込み片の基部側に、前記差し込み片が表示板受け溝に差し入れられた状態で、該差し込み片の抜き出しを防止する抜き出し止め部が設けられたことを特徴とする。
【発明の効果】
【００１５】
請求項１記載の表示板付き育苗トレイによれば、複数の育苗ポットを縦横に配列した状態で収容する育苗トレイと、前記育苗ポットに植栽される植物に関する情報を表示する表示板とを備えた表示板付き育苗トレイであって、
前記育苗トレイの外枠の上辺に、前記表示板の差し込み片を立姿勢で受け入れる表示板受け溝が設けられ、前記表示板は、一枚の平らな平面維持性のあるシートで構成され、一表面には前記育苗ポットに植栽される植物に関する情報が表示され、前記表示板受け溝に立姿勢で受け入れられる差し込み片が、前記表示板の適所に、前記差し込み片の基部を残した切り溝で形成され、
前記表示板の情報表示側が外側となって、前記差し込み片より下方側が前記外枠の外側となるように該差し込み片が前記表示板受け溝に立姿勢で差し込まれるようにされているので、内枠がない育苗トレイにも対応可能で、表示板を見やすい姿勢とすることができ、別個の部品を必要とせず、簡易な構成で費用節減、省資源化を可能とする。
【００１６】
請求項２記載の育苗トレイによれば、請求項１の表示板付き育苗トレイに用いるものであるので、請求項１の効果を、育苗トレイとして発揮する。
【００１７】
請求項３記載の育苗トレイによれば、請求項２の効果に加え、表示板受け溝は、受け入れられた表示板の差し込み片を差し込み方向と直交する方向に屈曲させる、該受け溝の内側方向への小突部を設けたので、差し込み片が薄い場合にも、受け溝内で確実に立姿勢を維持させることができる。
【００１８】
請求項４記載の育苗トレイ用の表示板によれば、請求項１の表示板付き育苗トレイに用いるものであるので、請求項１の効果を、表示板として発揮する。
【００１９】
請求項５記載の育苗トレイ用の表示板によれば、請求項４の効果に加え、差し込み片の基部側に、前記差し込み片が表示板受け溝に差し入れられた状態で、該差し込み片の抜き出しを防止する抜き出し止め部が設けられたので、差し込み片の抜き出しを防止することができる。
【発明を実施するための最良の形態】
【００２０】
以下に、本発明の実施の形態について、図面を用いて説明する。
【実施形態１】
【００２１】
図１は、本発明の表示板付き育苗トレイの一例を示すもので、（ａ）は、その外観斜視図、（ｂ）は、その要部断面図、（ｃ）は、（ｂ）のＡＡ断面図、（ｄ）は、（ｃ）のＢＢ断面図である。
【００２２】
図２は、図１の育苗トレイを示すもので、（ａ）は、その平面図、（ｂ）は、その側面図、（ｃ）は（ａ）の表示板受け溝部分の拡大図、（ｄ）は、（ｃ）のＣＣ断面図、図３
は、図１の表示板を示すもので、（ａ）は、その平面図、（ｂ）は、その側面図、（ｃ）は、（ａ）の差し込み片部分の拡大図である。
【００２３】
図１の表示板付き育苗トレイ５は、複数の育苗ポットＰを縦横に配列した状態で収容する育苗トレイ１（図２）と、この育苗ポットＰに植栽される植物に関する情報を表示する表示板３（図３）とを備えたものであって、以下の点を特徴とする。
【００２４】
１）育苗トレイ１の外枠１ａの上辺に、表示板３の差し込み片４を立姿勢で受け入れる表示板受け溝２が設けられている。
【００２５】
２）表示板３は、一枚の平らな平面維持性のあるシートで構成され、一表面には育苗ポットＰに植栽される植物に関する情報Ｇが表示され、育苗トレイ１の表示板受け溝２に立姿勢で受け入れられる差し込み片４が、表示板３の適所に、差し込み片４の基部４ｂを残した切り溝３ａで形成されている。
【００２６】
３）表示板３の情報表示側が外側となって、差し込み片４より下方側が育苗トレイ１の外枠１ａの外側となるように差し込み片４が表示板受け溝２に立姿勢で差し込まれるようにされている。
【００２７】
以下、図面は前後するが、先に図２、３を用いて、育苗トレイ１、表示板３について、より詳しく説明する。
【００２８】
図２の育苗トレイ１は、既述の構成に加えて、外枠１ａの内側を縦６列、横４列にそれぞれ育苗ポットＰを収容する個別収容部Ｕを形成するように区画する内枠１ｂを備えている。この縦横の列数は、この例に限定されるものではない。
【００２９】
各個別収容部Ｕは、内枠１ｂから下方に伸びた側壁枠１ｃと、この側壁枠１ｃの下方端部分を連結する底枠１ｄとを備えていて、育苗ポットＰをしっかりと収容し、保持することができる。
【００３０】
外枠１ａの上辺に設けられた表示板受け溝２は、この上辺を貫通するもので、外枠１ａの長手方向に伸びた溝形状となっている。表示板受け溝２の溝幅は、ここに受け入れられる差し込み片４の厚さ（表示板３の厚さ）より大きく、この差し込み片４の厚さの２倍程度か、この２倍より小さいものとなっている。表示板受け溝２の長手方向の長さを溝長さＬ０とする。
【００３１】
表示板受け溝２は、この例では、長方形状の外枠１ａの、長い方と短い方とのそれぞれに溝間距離が等しくなるように、２箇所ずつ、合計８箇所設けられている。
【００３２】
これにより、横長の表示板３の２つの差し込み片４をそれぞれの表示板受け溝２に差し込んで、この表示板３を横長状態で、育苗トレイ１の外枠１ａにしっかり固定することができると共に、外枠１ａの長い方と、短い方のどちらにでも、同じ表示板３を固定することができる。
【００３３】
表示板受け溝２には、溝内側に溝幅方向に突起する小突部２ａが設けられている。この例では、小突部２ａは、溝２の外から内向きに溝長手方向長さを４等分する位置に三箇所、溝２の内から外向きに、前記三箇所の小突起２ａの中間に位置するように２箇所で、合計５つ設けられている。
【００３４】
この受け溝２の内側方向への小突部２ａは、この表示板受け溝２に受け入れられる差し込み片４を、その差し込み方向に直交する方向に屈曲させるものである。その作用効果については、図１（ｃ）を用いて後述する。
【００３５】
育苗トレイ１の素材としては、プラスチック、あるいは、生分解性プラスチックが好適である。また、育苗トレイを、パルプを成形したパルプモールドとしてもよい。
【００３６】
表示板３は、図３に示すように、一枚の平らな平面維持性のあるシートを、育苗トレイ１の外枠１ａに取り付けて、表示手段として用いることができる程度の大きさ、形状としたものである。
【００３７】
表示板３のの素材としては、耐水性のある紙シート、印刷性の良い合成樹脂シート、合成樹脂シートに紙を貼り合わせたもの等を適宜選択することができる。具体的には、ポリプロピレン（ＰＰ）合成紙が好適である。
【００３８】
表示板３の表示使用時に下方側となる位置には、その更に下方に表示可能部分を残すように、差し込み片４を形成する切り溝３ａが設けられている。
【００３９】
つまり、この表示板３は、不使用状態では、凹凸の無い平らな状態のものであり、適所に単に切り溝３ａが設けられているだけなので、平板状のシートに、切り溝３ａを付加するという一工程の作業で制作することができ、安価に製造することができる。
【００４０】
また、凹凸が無いので、積層配置する場合にも余分な上下方向の場所を取らず、スペース効率よく積層配置することができるので、保管、運搬にも有利である。
【００４１】
表示板３には、切り溝３以外に、差し込み片４の中央位置となる部分に、必要に応じて、差し込み片４の立姿勢維持強度を高めるための折り目線３ｂが設けられている。この折り目線３ｂは、差し込み片４への僅かな凹み線であり、これにより、この差し込み片４を小突部２ａを備えた表示板受け溝２を差し込んだ際の立姿勢維持強度が高まる。
【００４２】
切り溝３で形成される差し込み片４は、全体としては舌形状をしており、その基部４ａ（二点鎖線で示す。）には切り溝が設けられておらず、差し込み片４の屈曲の際のヒンジ機能を発揮するものである。
【００４３】
この舌形状の先端部分を舌部４ｃ、この舌部４ｃの基部４ａ側に切り溝３で形成された凹部分の舌部側を抜き出し止め部４ｂと称する。舌部４ｃは、差し込み片４を表示板受け溝２に差し込む際の案内となるもので、この差し込みをやりやすくするものである。
【００４４】
抜き出し止め部４ｂは、一対で設けられ、その外幅寸法Ｌ２が、表示板受け溝２の溝長さＬ０より長くなっており、一方、前記凹部分の底部分となる狭隘な内幅寸法Ｌ１は、表示板受け溝２の溝長さＬ０より短くなっている。
【００４５】
こうして、この抜き出し止め部４ｂは、図１（ｄ）でも後述するように、差し込み片４が表示板受け溝２に差し入れられた状態で、差し込み片４の抜き出しを防止するものとなっている。
【００４６】
また、この表示板３では、３箇所の切り溝３により、３つの差し込み片４が形成されているが、この切り溝３を設ける箇所数は、表示板３の横長さや形状に対応して決定されるもので、表示板３が小さい場合には中央の１箇所でもよく、２箇所でもよく、４箇所以上であっても良い。
【００４７】
上記のような構成の表示板受け溝２を備えた育苗トレイ１と、差し込み片４を備えた表示板とを組み合わせた表示板付き育苗トレイ５について、以下、図１に戻って、その作用効果を説明する。
【００４８】
表示板３を育苗トレイ５に取り付ける場合には、平面状の表示板３に対して、必要な箇所の基部４ａを折れ曲がりのヒンジ部分として、差し込み片４の舌部４ａを情報表示側から非表示側へ屈曲させて、この舌部４ａが、育苗トレイ１の表示板受け溝２に受け入れられるようにするだけでよい。
【００４９】
そうすると、表示板３は、育苗トレイ１に図１に示したような状態で取り付けられる。
【００５０】
つまり、図１（ａ）、（ｂ）で明確に示されているように、切り溝３で形成された差し込み片４が表示板受け溝２に立姿勢で差し込まれ、この表示板３の差し込み片４から下方部分が、その情報表示側が外側で、外枠１ａの外側となるようにするだけで、自然に、表示板３の育苗ポットＰに植栽される植物に関する情報Ｇが見やすいように、表示板３が傾斜した状態で育苗トレイ１に取り付けられる。
【００５１】
ここで、図１（ｂ）、（ｃ）に示されたように、表示板３の差し込み片４は、育苗トレイの表示板受け溝２に設けられた小突部２ａにより、その差し込み方向とは直交する方向に波形状に屈曲されている。
【００５２】
これにより、たとえ、表示板３が薄いものであっても、この薄さに対して広めの表示板受け溝２の中で、差し込み片４が水平方向にがたつくことがなく、差し込み片４の立姿勢がきちんと保持された状態で、受け入れられる。したがって、この観点からは、表示板３をより薄いものとすることもできる。
【００５３】
このような小突部２ａの機能を考慮すると、表示板受け溝２の溝長さＬ０にも関係するが、その個数は少なくとも１個以上であればよく、また、本例示のように受け溝２内面に対向するように設けるのが良い。
【００５４】
また、図１（ｄ）に示されたように、表示板３の差し込み片４の舌部４ｃが表示板受け溝２に差し込まれた状態では、抜き出し止め部４ｂにより、この舌部４ｃ（つまり、差し込み片４）の抜き出しが防止される。
【００５５】
なお、意図的に抜き出したい場合には、差し込み片４を、その内幅寸法Ｌ１と表示板受け溝２の溝長さＬ０の差分だけ溝長さ方向に移動させれば、一方の抜き出し止め部４ｂを受け溝２の一端から覗かせるようにでき、その後、差し込み片４を逆方向に移動させれば、同様にして、他方の抜け出し止め部４ｂを受け溝２の他端から覗かせて、舌部４ａを受け溝２から抜き出すことができる。
【００５６】
また、この表示板３は、育苗トレイ１の外枠１ａの表示板受け溝２から外側に付けるものなので、内枠の有無に関係なく育苗トレイに取りつけることができる。また、必要な部品は、表示板３だけなので、別個の部品が必要とされない。更に、両面テープを用いないので、両面テープを用いる場合の煩雑さがなく、表示板の繰り返し使用が可能である。
【００５７】
更に、育苗トレイ１への追加加工は、表示板受け溝２だけなので、成形型の対応もしやすく、表示板３も単なるシート状のものに切り溝３を追加工（外部形状の加工と同時に切り溝加工をすることも可能である。）しただけのものであり、製造コストも安価なものとすることができる。
【００５８】
こうして、この表示板付き育苗トレイ５によれば、内枠がない育苗トレイにも対応可能で、表示板を見やすい姿勢とすることができ、別個の部品を必要とせず、簡易な構成で費用節減、省資源化を可能とすることができる。
【００５９】
また、この表示板付き育苗トレイ５を構成する育苗トレイ１によれば、上記表示板付き育苗トレイ５の効果を、育苗トレイとして発揮することができる。この表示板付き育苗トレイ５を構成する表示板３によれば、上記表示板付き育苗トレイ５の効果を、表示板として発揮することができる。
【実施形態２】
【００６０】
図４は、本発明の育苗トレイの他例を示すもので、（ａ）は、その平面図、（ｂ）は、その側面図、（ｃ）は（ａ）の表示板受け溝部分の拡大図、（ｄ）は、（ｃ）のＣＣ断面図である。これより、既に説明した部分と同じ部分については、同じ符号を付して重複説明を省略する。
【００６１】
この育苗トレイ１Ａは、図２の育苗トレイ１と比べて、個別収容部がない点が異なっている。つまり、外枠１１ｅの内側を区画する内枠がなく、外枠１１ｅ下方からは、全体に渡る側壁枠１１ｆが伸びだし、この側壁枠１１ｆの下端部分を底壁枠１１ｄで連結したものとなっている。
【００６２】
育苗ポットＰは、この外枠１１ｅの内側に区画されることなく縦横に配列されて収容される。
【００６３】
実施形態１の表示板付き育苗トレイ５の上記説明から解るように、本発明の育苗トレイと表示板とは、育苗トレイの内側部分の構成、具体的には、区画の有無、個別収容部の有無には拘束されないものである。
【００６４】
よって、この育苗トレイ１Ａによれば、表示板付き育苗トレイ５と同様の効果が、表示板付き育苗トレイ、育苗トレイ、表示板として発揮される。
【００６５】
なお、本発明の表示板付き育苗トレイ、及び、この表示板付き育苗トレイに用いる育苗トレイと表示板は、上記の実施形態に限定されず、特許請求の範囲に記載された範囲、実施形態の範囲で、種々の変形例、組み合わせが可能である。
【産業上の利用可能性】
【００６６】
本発明の表示板付き育苗トレイ、及び、この表示板付き育苗トレイに用いる育苗トレイと表示板は、内枠がない育苗トレイにも対応可能で、表示板を見やすい姿勢とすることができ、別個の部品を必要とせず、簡易な構成で費用節減、省資源化を可能とすることが要請される産業分野に用いることができる。
【図面の簡単な説明】
【００６７】
【図１】本発明の表示板付き育苗トレイの一例を示すもので、（ａ）は、その外観斜視図、（ｂ）は、その要部断面図、（ｃ）は、（ｂ）のＡＡ断面図、（ｄ）は、（ｃ）のＢＢ断面図
【図２】図１の育苗トレイを示すもので、（ａ）は、その平面図、（ｂ）は、その側面図、（ｃ）は（ａ）の表示板受け溝部分の拡大図、（ｄ）は、（ｃ）のＣＣ断面図
【図３】図１の表示板を示すもので、（ａ）は、その平面図、（ｂ）は、その側面図、（ｃ）は、（ａ）の差し込み片部分の拡大図
【図４】本発明の育苗トレイの他例を示すもので、（ａ）は、その平面図、（ｂ）は、その側面図、（ｃ）は（ａ）の表示板受け溝部分の拡大図、（ｄ）は、（ｃ）のＣＣ断面図
【図５】（ａ）、（ｂ）は、従来の表示板付き育苗トレイを例示する要部断面図
【符号の説明】
【００６８】
Ｐ      育苗ポット
１、１Ａ    育苗トレイ
１ａ、１ｆ    外枠
２      表示板受け溝
２ａ    小突部
３      表示板
３ａ    切り溝
４      差し込み片
４ａ    基部
４ｂ    抜き出し止め部
５      表示板付き育苗トレイ
【図１】
2010029100.tif 000003
【図２】
2010029100.tif 000004
【図３】
2010029100.tif 000005
【図４】
2010029100.tif 000006
【図５】
2010029100.tif 000007